(57)【要約】【課題】掛布団を傷めるといった心配もなく、簡単な構成により、足側の保温性を高めることができる低コストの掛布団、さらに、特に足側の保温性に優れた寝袋としても利用できる掛布団を提供すること。【解決手段】布団本体１ｅの足側端部１ｄに、布団本体１ｅの敷き布団に向けられる面である裏面１ｆ側に重ねるようにして取り付けた足側カバー４によって、使用者が足を入れることができる袋状のポケット部５が形成されており、足側カバー４が、外装生地４ａによって、保温性を有する充填材を収容したものであることを特徴とする【選択図】      図１
2004298482.tif 000002
【特許請求の範囲】
【請求項１】
布団本体の足側端部に、前記布団本体の敷き布団に向けられる面である裏面側に重ねるようにして取り付けた足側カバーによって、使用者が足を入れることができる袋状のポケット部が形成されており、
前記足側カバーが、外装生地によって、保温性を有する充填材を収容したものであることを特徴とする掛布団。
【請求項２】
前記ポケット部は、前記足側端部における布団本体の横方向中央部に位置していることを特徴とする請求項１記載の掛布団。
【請求項３】
前記充填材が羽毛であることを特徴とする請求項１又は２記載の掛布団。
【請求項４】
布団本体の左右両側の端部に、該左右両側の端部同士を着脱可能に連結するための連結具が設けられており、
前記布団本体の左右両側の端部が前記連結具によって連結され、かつ、前記布団本体の前記裏面が外側、前記裏面に対向する表面が内側になっている筒状体を形成した状態で、前記足側カバーを前記ポケット部の内側に位置する面が外側になるように反転させることで、前記足側カバーによって前記筒状体を構成する前記布団本体の足側端部を収容できるようになっていることを特徴とする請求項１〜３のいずれかに記載の掛布団。
【請求項５】
前記ポケット部の内側に位置する面が外側になるように反転させた足側カバーの内部に、前記筒状体を構成する前記布団本体の足側端部のみならず、布団本体全体を収容できることを特徴とする請求項４記載の掛布団。
【発明の詳細な説明】
【０００１】
【発明の属する技術分野】
本発明は、布団、夏用寝袋、冬用寝袋、クッションと自在に変形可能で、特に足側の保温性に優れた掛布団に関する。
【０００２】
【従来の技術】
畳等の床上に敷いた敷き布団上や、ベッド上で、掛布団を掛けて寝る場合に、上半身側に比べて、足元の保温性が低いことが、深い睡眠を得ることの妨げになることが多々ある。これは、睡眠中の寝返り等によって足が動くことで、特に布団の足側では、布団間に隙間が出来やすいこと、などが原因である。
足側での掛布団の浮き上がりによる隙間の発生防止策としては、例えば、敷き布団やベッドのマットレスに対して掛布団をボタン留めすることなどが考えられる。
【０００３】
従来の掛布団の例としては、以下のものがある（例えば、特許文献１参照。）。
【０００４】
【特許文献１】
実開昭６２−１１１４６９号公報
【０００５】
【発明が解決しようとする課題】
しかしながら、前述したボタン留めによるズレ防止では、掛布団のみならず、敷き布団やマットレスについても特別な加工が必要になるため、コスト面で不利であり、掛布団をボタン留めしたり、布団干し等のために取り外したりする作業が面倒であるといった問題がある。また、敷き布団やマットレスに対して掛布団をボタン留め等によって係止する構成では、寝返り等によって掛布団の一部分に多大な力が集中的に作用して、掛布団を傷めやすいといった問題もある。
【０００６】
本発明は、掛布団を傷めるといった心配もなく、簡単な構成により、足側の保温性を高めることができる低コストの掛布団、さらに、特に足側の保温性に優れた寝袋としても利用できる掛布団を提供することを目的とする。
【０００７】
【課題を解決するための手段】
上記の課題を解決するための手段として、次のような構成を採用する。すなわち本発明に係る請求項１記載の掛布団は、布団本体の足側端部に、前記布団本体の敷き布団に向けられる面である裏面側に重ねるようにして取り付けた足側カバーによって、使用者が足を入れることができる袋状のポケット部が形成されており、前記足側カバーが、外装生地によって、保温性を有する充填材を収容したものであることを特徴とする。
【０００８】
一般に、「頭寒足熱」と言われる頭が冷たくて足が暖められた状態が睡眠に良いと言われており、本発明では、良好な睡眠環境（いわゆる寝心地）が得られる。
足側カバーは、充填材の収容によって厚さを稼いだものであり、しかも、ポケット部に挿入した足の重みで容易に圧縮変形するものである。このため、ポケット部に足を入れると、足が、足自体の重みで足側カバーにめり込むようになり、さらに、足側カバーと連結されている布団本体が足を上から覆い被さることで、使用者の足が布団本体と足側カバーとによって包まれるようになり、特に、足の保温性を大幅に向上できる。
また、足側カバーが充填材を収容していることで体積が増え、布団本体内部で空間を占める割合が増えて、布団と身体との間に生じる隙間が少なくなる。
【０００９】
請求項２記載の掛布団は、請求項１記載の掛布団において、前記ポケット部は、前記足側端部における布団本体の横方向中央部に位置していることを特徴とする。
【００１０】
本発明においては、ポケット部が、足側端部における布団本体の横方向中央部に位置していることで、ポケット部の開口部の範囲が限定されるので、布団が身体に対してずれにくい。
【００１１】
請求項３に記載の発明は、前記充填材が羽毛であることを特徴とする。
【００１２】
本発明においては、充填材が羽毛であることで、足側カバーの圧縮変形量を非常に大きく確保できる。このため、足自体の重みで足が足側カバーにより深くめり込むようにできる。これにより、布団本体と足側カバーとによって足が包まれた状態が、より確実に得られるようになる。
【００１３】
請求項４に記載の発明は、布団本体の左右両側の端部に、該左右両側の端部同士を着脱可能に連結するための連結具が設けられており、前記布団本体の左右両側の端部が前記連結具によって連結され、かつ、前記布団本体の前記裏面が外側、前記裏面に対向する表面が内側になっている筒状体を形成した状態で、前記足側カバーを前記ポケット部の内側に位置する面が外側になるように反転させることで、前記足側カバーによって前記筒状体を構成する前記布団本体の足側端部を収容できるようになっていることを特徴とする。
【００１４】
本発明においては、布団本体の左右両側の端部が連結具によって連結され、かつ、布団本体の裏面が外側、裏面に対向する表面が内側になっている筒状体を形成した状態で、ポケット部の内側に位置する面が外側になるように反転させた足側カバーによって、筒状体を構成する布団本体の足側端部を収容することにより、保温性に優れた寝袋を構成できる。この寝袋は、足側カバーによって足側端部に優れた保温性を確保できる。
【００１５】
請求項５に記載の発明は、前記ポケット部の内側に位置する面が外側になるように反転させた足側カバーの内部に、前記筒状体を構成する前記布団本体の足側端部のみならず、布団本体全体を収容できることを特徴とする。
【００１６】
本発明においては、ポケット部の内側に位置する面が外側になるように反転させた足側カバーの内部に、前記筒状体を構成する前記布団本体の足側端部のみならず、布団本体全体を収容することで、布団本体全体がポケット部内部に収容されたクッションが形成される。
【００１７】
【発明の実施の形態】
本発明に係る掛布団の第１の実施形態を、図１ないしは図６に示して説明する。
図１に示すように、掛布団１は、扁平状とされた長方形状であり、掛布団１の長方形状の布団本体１ｅの左側の端部１ａ及び右側の端部１ｂには左右両側の端部同士を着脱可能に連結するためのファスナー（連結具）２が設けられている。説明上、頭側の端部を１ｃ、足側の端部を１ｄとする。布団本体１ｅの縦方向両端部の内の頭側の方が頭側端部１ｃ、他方が足側端部１ｄである。また、縦方向とは、長方形状の布団本体１ｅ（あるいは掛布団１）においては、布団本体１ｅ（あるいは掛布団１）の長手方向である。また、この縦方向に直交する方向が横方向であり、布団本体１ｅの横方向両端の内の一方が左側端部１ａ、他方が右側端部１ｂである。なお、以下、横方向を左右と称する場合がある。
【００１８】
左右両側の端部１ｃ、１ｄには、ループ３が頭側と足側の両端部と真中のそれぞれ３ヶ所ずつ設けられている。また、頭側端部１ｃ及び足側端部１ｄには、幅方向の真中にそれぞれ一つずつ設けられており、全部で計８ヶ所に設けられている。
布団本体１ｅの内部には、羽毛が充填されている。また、掛布団１には、縦横にキルティング縫合が施されており、縦方向に８個、横方向に７個と、計５６個のブロックに分けられている。
【００１９】
掛布団１の足側端部には、足側カバー４が設けられている。足側カバー４の左右両側の端部と、足側の端部とが掛布団１に縫い付けられている。足側カバー４の足側の端部は、掛布団１の足側の端部１ｄに揃えられている。足側カバー４を設けることでポケット部５が形成される。
掛布団１は、布団本体１ｅの足側端部１ｄに、布団本体１ｅの敷き布団に向けられる面である裏面側１ｆに重ねるようにして設けられた足側カバー４によって、使用者が足を入れることができる袋状のポケット部５が形成されており、足側カバー４が、外装生地４ａによって、保温性を有する充填材を収容したものである。
ポケット部５は、足側端部１ｄにおける布団本体１ｅの横方向中央部１ｇに位置している。ここでは、充填材は羽毛である。ポケット部５は、略正方形であり、開口部の長さは、布団本体１ｅの幅の略二分の一である。足側カバー４の内部には、保温性を有する羽毛が充填されている。また、足側カバー４にはキルティング縫合が施されており、縦横２列ずつの４つのブロックに分けられている。
【００２０】
上記のように構成された掛布団１は、まず、肌掛布団として使用される。肌掛布団として使用される際には、使用者の足は、ポケット部５の内部に足を入れることができ、布団本体１ｅの足側端部１ｄに使用者が足を入れることができる袋状のポケット部５が形成され、足側カバー４が、外装生地４ａによって保温性を有する充填材を収容したものであることで、使用者の足が布団本体１ｅと足側カバー４との二重の布団によって包まれることで、掛布団１の保温性が高まる。
【００２１】
また、足側カバー４は、充填材の収容によって厚さを稼いだものであり、しかも、ポケット部５に挿入した足の重みで容易に圧縮変形するものである。このため、ポケット部５に足を入れると、足が、足自体の重みで足側カバー４にめり込むようになり、さらに、足側カバー４と連結されている布団本体１ｅが足を上から覆い被さることで、使用者の足が布団本体と足側カバーとによって包まれるようになり、特に、足の保温性を大幅に向上できる。
また、足側カバー４が充填材を収容していることで体積が増え、布団本体内部で空間を占める割合が増えて、布団と身体との間に生じる隙間が少なくなる。
【００２２】
また、ポケット部５が、足側端部１ｄにおける布団本体１ｅの横方向中央部に位置していることで、ポケット部の開口部の範囲が限定されるので、布団が身体に対してずれにくい。
【００２３】
また、充填材が羽毛であることで、足側カバー４の圧縮変形量を非常に大きく確保できる。このため、足自体の重みで足が足側カバー４により深くめり込むようにできる。これにより、布団本体１ｅと足側カバー４とによって足が包まれた状態が、より確実に得られるようになる。
また、足側カバー４の内部には保温性に優れた羽毛が充填されていることで、ポケット部５も保温性能を持つこととなるので、足の周囲が布団のみによって保温されるのに比較して保温性能が高くなる。
【００２４】
また、符号３はカバー取付用ループであり、掛布団１に被せる布団カバーと布団本体１ｅとを連結するためのものである。但し、掛布団１に被せる布団カバーとしては、掛布団１の使用時にポケット部５への足の挿入の障害にならないように、ポケット部５の頭側開口部を覆わないものを採用する。
【００２５】
図１に示す掛布団１の左右両側の端部１ａ、１ｂに設けられたファスナー２をお互いに結合させて固定すると、掛布団１の左右両側の端部１ａ、１ｂがそれぞれ内側に折り込まれ、図２に示すように略円筒状の筒状体６に形成される。
【００２６】
掛布団１の左右両側の端部１ａ、１ｂを内側に折り込み、ファスナー２によってお互いを結合させることで、円筒状として形成された掛布団１の内側の空間に使用者が入ることができ、寝袋として使用することが可能となる。このとき、足側は何も覆われてなく、外部の空間に開放されている。そのため、足先は暖められることがないので、周囲の温度が高い場合は足が涼しく、夏用の寝袋として適している。
【００２７】
足側カバー４は、布団本体１ｅの左右両側の端部１ａ、１ｂをファスナー２によって連結して、布団本体１ｅの裏面が外側、前記裏面１ｆに対向する表面１ｈが内側になっている筒状体６を形成した状態で、ポケット部５の内側に位置する面が外側になるように反転させることで、筒状体６を構成する布団本体１ｅの足側端部１ｃを収容できるようになっている。
図２の状態から、図３に示すように筒状体６の内面側が外側となるように反転させるか、あるいは、ファスナー２によって掛布団１の左右両側の端部１ａ、１ｂを結合させる際に、ポケット部５が形成された面を外側に出して結合させ、図４に示すように、裏面１ｆである使用者と接する面を外に出す。その状態からポケット部５を裏返して外側にポケット部５の内部を露出させるとともに、足側カバー４を折り返す。
【００２８】
そうすると、図５に示すように足側カバー４が足側の端部１ｄを覆い、足側端部１ｄの開放された空間が閉じられる。
そのため、寝袋として使用する際にも、足側の端部１ｄが閉じられているので、冬用寝袋への切替が可能となり掛布団１と足側カバー４とによって保温されて、足が冷えない。また、足側端部１ｄは、掛布団１とポケット用布４との２枚によって足が覆われるので、さらに保温性能が向上する。
従って、冬用の寝袋として使用するのに最適である。
【００２９】
足側の空間を閉じた足側カバー４は、掛布団１の足側端部１ｄに形成されていると共に、円筒状とされた掛布団１の外側に配置されている。足側カバー４と掛布団１との間には、空間が形成されている。掛布団１は、ポケット部５の内側に位置する面が外側になるように反転させた足側カバー４の内部に、筒状体６を構成する布団本体１ｅの足側端部１ｄのみならず、布団本体１ｅ全体を収容できる。足側カバー４の内部に、掛布団１の頭側の部分を入れ込むことで、ポケット部５内に掛布団１の殆どの部分を収納することができ、図６に示すように、コンパクトに収められたクッション７が形成される。
ポケット部５内に掛布団１の殆どの部分を収納して掛布団をクッション７とすることで、スペースをあまり占有されない。また、容易に掛布団１の持ち運びができる。また、使用する場所を選ばない。
【００３０】
上記掛布団１においては、布団本体１ｅの左右両側の端部１ａ、１ｂがファスナー２によって連結され、かつ、布団本体１ｅの裏面１ｆが外側、裏面に対向する表面が内側になっている筒状体６を形成した状態で、ポケット部５の内側に位置する面が外側になるように反転させた足側カバーによって、筒状体を構成する布団本体の足側端部を収容することにより、保温性に優れた寝袋を構成できる。そのため、冬用寝袋として使用する際に、足側カバー４が足側１ｄを覆うので、周囲の空気が低温でも、寝袋の内部に冷たい空気が入ってこない。これにより、周囲の空気が冷たい冬でも足が暖められて、快適に就寝できる。
【００３１】
また、肌掛布団として使用する際に、足側カバー４内に保温性を有する羽毛が充填されているので、足をポケット部５内に入れても、保温性が保持され、足が冷たくならない。また、冬用寝袋として用いる際にも、足側が掛布団１とポケット用上布の２枚で覆われるために、保温性が向上する。
【００３２】
また、ポケット部５の内側に位置する面が外側になるように反転させた足側カバー４の内部に、筒状体６を構成する布団本体１ｅの足側端部１ｄのみならず、布団本体１ｅ全体を収容できることで、布団本体１ｅ全体がポケット部内部に収容されたクッションが形成される。そのため、用途の幅が広がり、また、掛布団１がコンパクト化されて空間を有効に使うことができる。
【００３３】
なお、本実施形態では充填材を羽毛としたが、保温性を有するのであれば、これにかえて綿等の別の充填材としても構わない。
また、本実施形態においては、足側カバー４の形状は略正方形としたが、他の形状であってもよい。この際、足側カバー４の形状を足側にいくにつれ末広がりの形状とすることで、身体が掛布団１に対して固定されつつ足側の隙間を埋め易いという効果が期待できる。
【００３４】
【発明の効果】
以上説明したように、本発明に係る掛布団によれば、布団本体の足側端部に使用者が足を入れることができる袋状のポケット部が形成され、足側カバーが、外装生地によって保温性を有する充填材を収容したものであることで、使用者の足が布団本体と足側カバーとの二重の布団によって包まれることで、掛布団の保温性が高まるので、使用者の足が暖められた状態が保持され、快適に就寝できる。また、足側カバーが充填材を収容していることで体積が増え、布団本体内部で空間を占める割合が増えて、布団と身体との間に生じる隙間が少なくなるので保温性がより高まり、使用感も高まる。
【００３５】
また、本発明に係る掛布団によれば、ポケット部が、足側端部における布団本体の横方向中央部に位置していることで、ポケット部の開口部の範囲が限定されるので、身体が布団に対してより強く固定される。これにより、布団が身体に対してずれにくくなるので、使用者が就寝中に冷やされることが少なくなり、保温性が高まる。
【００３６】
また、本発明に係る掛布団によれば、充填材が羽毛であることで、足側カバーの圧縮変形量を非常に大きく確保できるので、布団と身体との間の隙間を埋め、保温性が高まると共に使用感が良くなる。
【００３７】
また、本発明に係る掛布団によれば、布団本体の左右両側の端部に、左右両側の端部同士を着脱可能に連結するための連結具が設けられており、足側カバーが、布団本体の左右両側の端部を連結具によって連結して、布団本体の裏面が外側、裏面に対向する表面が内側になっている筒状体を形成した状態で、ポケット部の内側に位置する面が外側になるように反転させることで、筒状体を構成する布団本体の足側端部を収容できるようになっていることにより、肌掛布団から筒状体である夏用寝袋へと変形し、また、筒状体から足側端部が足側カバーによって収容された冬用寝袋へと変形することが可能となる。その際、冬用寝袋として使用したとしても、寝袋の内部に冷たい空気が入ってくることは無く、保温性が保持されるので、使用者が快適に就寝できる。
【００３８】
また、本発明に係る掛布団によれば、ポケット部の内側に位置する面が外側になるように反転させた足側カバーの内部に、前記筒状体を構成する前記布団本体の足側端部のみならず、布団本体全体を収容できることで、布団本体全体がポケット部内部に収容されたクッションが形成されるので、用途の幅が広がり、また、掛布団がコンパクト化されて空間を有効に使うことができる。また、携帯性が向上し、あらゆる場所において掛布団を使用することができる。
【図面の簡単な説明】
【図１】本発明の一実施形態における掛布団の平面図である。
【図２】本発明の一実施形態における掛布団の斜視図である。
【図３】本発明の一実施形態における掛布団の斜視図である。
【図４】本発明の一実施形態における掛布団の斜視図である。
【図５】本発明の一実施形態における掛布団の斜視図である。
【図６】本発明の一実施形態における掛布団の斜視図である。
【符号の説明】
１  掛布団
１ｅ  布団本体
２  ファスナー
４  足側カバー
５  ポケット部
６  筒状体
【図１】
2004298482.tif 000003
【図２】
2004298482.tif 000004
【図３】
2004298482.tif 000005
【図４】
2004298482.tif 000006
【図５】
2004298482.tif 000007
【図６】
2004298482.tif 000008